(57)【要約】【課題】太陽電池モジュールの裏面側の空間から、効率的に熱量を排出して太陽電池の発電効率の低下を防ぐことができる太陽電池パネルの敷設構造を提供する。【解決手段】本発明は、太陽電池パネル１の敷設構造に取り付けられる外設部材２であって、その取付状態において。太陽電池パネル１の表面に突出する起立部２１Ａ，２１Ｂと、太陽電池パネル１又はその固定部材６に取り付けられる取付部２３Ａ，２３Ｂとを有し、前記起立部２１Ａ，２１Ｂは、上面部２１Ａと下面部２１Ｂとの間に形成される通気路２２を備え、その風出部分が離間部分の上方に位置することを特徴とする。【選択図】図１
2014181453.tif 000002
【特許請求の範囲】
【請求項１】
太陽電池パネルの敷設構造に取り付けられる外設部材であって、
その取付状態において。太陽電池パネルの表面に突出する起立部と、太陽電池パネル又はその固定部材に取り付けられる取付部とを有し、前記起立部は、上面部と下面部との間に形成される通気路を備え、その風出部分が離間部分の上方に位置することを特徴とする太陽電池パネル用の外設部材。
【請求項２】
請求項１に記載の外設部材を下地上に取り付けた太陽電池パネル又はその固定部材に一体的に固定した太陽電池パネルの敷設構造であって、
対向する太陽電池パネルの離間部分の風上側に、起立部が突出するように外設部材を取り付けてなることを特徴とする太陽電池パネルの敷設構造。
【発明の詳細な説明】
【技術分野】
【０００１】
本発明は、太陽電池モジュールの裏面側の空間から、効率的に熱量を排出して太陽電池の発電効率の低下を防ぐことができる太陽電池パネル用の外設部材、及びそれを用いた太陽電池パネルの敷設構造に関する。
【背景技術】
【０００２】
近年、地球温暖化の緩和を目的として、その原因である温室効果ガスのうち、二酸化炭素（ＣＯ2）の排出が少ない社会（低炭素社会）を構築するため、従来の石油や石炭等の資源に依存するエネルギーに代え、太陽光を用いた再生可能エネルギーを普及するという社会的気運の高まりがある。また、政府や自治体が、積極的に太陽電池モジュールを導入する需要に対して補助を行ったり、余剰の電力を電力会社が買い取る機構もまた構築されている。
【０００３】
太陽光を効率的に利用する太陽電池モジュールにおいて、太陽電池の発電効率は、裏面が高温になると発電効率が低下することが知られている。
そのため、特許文献１に示されるように太陽電池モジュール１の周縁部に位置させたフレーム材２の全てに複数の「孔」を開設して連通部３を形成し、太陽電池モジュール１の裏面側の空間を各連通部３に連通させることにより、温度上昇を抑制するものが提案されている。
【先行技術文献】
【特許文献】
【０００４】
【特許文献１】特開２０００−１０１１２０号公報
【発明の概要】
【発明が解決しようとする課題】
【０００５】
しかしながら、前記特許文献１に記載の構造では、軒先側の「孔」から、又は側方側の「孔」から、もしくはルーフィング７と横桟４の間から流入した空気は、棟方向に向かって流れるものの、排出は複数敷設した太陽電池の最上部すなわち棟側でしか行えないため、十分な排気が行えるものではなかった。
また、排気は、空気の流入量に影響を受けるため、風速が弱かったり、流入量が小さい（少ない）場合等には、排出量も少なくなり、十分な排気が行えず、多くの熱量は空間内に滞留するものであった。
さらに、軒棟方向及び左右方向の全てのフレーム材２に「孔」を形成しているため、十分な強度が得られない虞があった。
【０００６】
そこで、本発明は、太陽電池モジュールの裏面側の空間から、効率的に熱量を排出して太陽電池の発電効率の低下を防ぐことができる太陽電池パネル用の外設部材、及びそれを用いた太陽電池パネルの敷設構造を提供することを目的とする。
【課題を解決するための手段】
【０００７】
本発明者等は、太陽電池モジュールの周縁部に起立状部を有する外設部材を取り付けることにより、吹き上げ風を利用し、太陽電池モジュールの裏面空間の空気（熱量）を吸い出すように排出させる構造を鋭意、研究している。即ちこの構造では、起立状部に当たった風が上方に乱流を起こし、起立状部の上端を減圧状態とするため、太陽電池パネルの裏面空間の空気が前記開口部から表面側へ吸い出す作用が果たされ、裏面空間の空気の流れを著しく速め、太陽電池自体が発生する温度を抑えることで発電効率の低下を防ぐことがわかっている。
本発明は、上記に鑑み提案されたものであって、太陽電池パネルの敷設構造に取り付けられる外設部材であって、その取付状態において。太陽電池パネルの表面に突出する起立部と、太陽電池パネル又はその固定部材に取り付けられる取付部とを有し、前記起立部は、上面部と下面部との間に形成される通気路を備え、その風出部分が離間部分の上方に位置することを特徴とする太陽電池パネル用の外設部材に関するものである。
【０００８】
さらに、本発明は、前記外設部材を下地上に取り付けた太陽電池パネル又はその固定部材に一体的に固定した太陽電池パネルの敷設構造であって、対向する太陽電池パネルの離間部分の風上側に、起立部が突出するように外設部材を取り付けてなることを特徴とする太陽電池パネルの敷設構造をも提案するものである。
【発明の効果】
【０００９】
本発明の太陽電池パネル用の外設部材は、上面部と下面部との間に形成される通気路を備える起立部に、太陽電池パネルの表面を流れる空気の流れ（風）を当てることで、より強い乱流が形成されるため、通気路を備えない起立部に比べ、裏面側の空気をより強く吸い出す作用を果たし、太陽電池パネルの裏面空間内の排熱がより円滑に行え、太陽電池セルの発電効率の低下をより大きく抑制することができる。
【００１０】
本発明の太陽電池パネルの構築構造は、前述の効果を有する外装構造となり、太陽電池パネルを敷設した新設屋根には勿論のこと、太陽電池パネルを敷設してなる既設屋根にも容易に適用できる。
【図面の簡単な説明】
【００１１】
【図１】（ａ）本発明の太陽電池パネルの敷設構造の一実施例（第１実施例）を示す斜視図、（ｂ）その要部を拡大した側断面図である。
【図２】（ａ）第１実施例に用いた上面材の拡大斜視図、（ｂ）その下面材の拡大斜視図、（ｃ）持出金具の拡大斜視図、（ｄ）押さえ金具の拡大斜視図、（ｅ）受け金具の拡大斜視図である。
【図３】（ａ）〜（ｅ）他の一実施例（第２実施例）の太陽電池パネルの敷設構造の施工手順を示す斜視図、（ｆ）用いた連結材を示す斜視図、（ｇ）用いた上面材及び下面材を示す斜視図、（ｈ）用いた受け金具の斜視図、（ｉ）用いた押さえ金具の斜視図である。
【図４】（ａ）第２実施例の要部の平面図、（ｂ）その正面図、（ｃ）その側断面図である。
【発明を実施するための形態】
【００１２】
本発明の外設部材は、太陽電池パネルの敷設構造に取り付けられ、その取付状態において、太陽電池パネルの表面に突出する起立部と、太陽電池パネル又はその固定部材に取り付けられる取付部とを有し、前記起立部は、上面部と下面部との間に形成される通気路を備え、その風出部分が離間部分の上方に位置することを特徴とする。
この構成により、上面部と下面部との間に形成される通気路を備える起立部に、太陽電池パネルの表面を流れる空気の流れ（風）を当てることで、より強い乱流が形成されるため、通気路を備えない起立部に比べ、裏面側の空気をより強く吸い出す作用を果たし、太陽電池パネルの裏面空間内の排熱がより円滑に行え、太陽電池セルの発電効率の低下をより大きく抑制することができる。
【００１３】
本発明の外設部材の取付対象である太陽電池パネルは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池パネルは、上記のモジュールの周縁に枠体（フレーム）を配してなり、この枠体は、前記モジュールの周縁を支持する支持部と、下方へ垂下する側壁部とを有する。この側壁部に外設部材を取り付ける場合には、その取付態様に応じた形状構成を具備させたものでもよい。例えばビス等による直止めする場合や接着する場合などには単なる縦片状でよいが、ボルトナットで締め付ける場合には予め所定の位置に取付用の孔を、或いは複数の孔を形成しておくようにしてもよい。また、雌雄等による係合や嵌合等で取り付けるようにしてもよく、或いはそれらの併用であってもよい。
なお、前記の側壁部に複数の孔を形成する態様では、取付用に用いられる孔以外は、裏面空間の空気（熱量）を排出する役割をも果たすため、特に棟側の枠体の内側隅部に滞留する空気（熱量）を外部へ排出することができる。
さらに、発電量を増大させるために両面受光（発電）型の太陽電池を用いてもよく、この場合、太陽電池の下方に反射部を介在させればよく、下地が兼用するものでも別途設けるものでもよい。
【００１４】
この太陽電池パネルの配設において、隣接する太陽電池パネルは、離間状に配設されることが望ましい。後述する図示実施例に示すように、太陽電池パネルの端部を位置規制すると共にその配設間隔を保持することができる受け金具を予め下地に固定し、この受け金具に太陽電池パネルを配設することで、流れ方向に隣接する太陽電池パネルは、一定間隔の離間状に配設することができる。
【００１５】
また、この太陽電池パネルは、陸屋根や庭等に組み付け設置した支持架台上に支持させてもよいし、後述する図示実施例に示すように屋根下地上に所定間隔（裏面空間）を隔てて敷設するようにしてもよい。この屋根下地としては、既存の瓦、スレート、金属等の公知の屋根でも、新たに敷設される瓦、スレート、金属等からなる屋根でも、太陽電池の裏面側に屋根としての雨仕舞性能を有するものが望ましく、その仕様を問うものではなく、例えば塩ビ等の防水シートからなる防水層でもよい。また、金属等によって構成される既存もしくは新設の屋根は、横葺き状、縦葺き（瓦棒葺き、平滑状等）、折板等の如何なるものであってもよい。
これらの下地を構成する部材に直接太陽電池パネルを取り付けてもよいし、各種の取付金具や取付架材、持出金具、横桟、縦桟等の取付具を介して太陽電池パネルを取り付けるようにしてもよい。即ち本発明における下地としては、上述の下地、又はそれに取り付ける取付具等をも含むものである。
【００１６】
本発明は、前述のように取付状態において、前記太陽電池パネルの表面に突出する起立部と、太陽電池パネル又はその固定部材に取り付けられる取付部とを備え、前記起立部は、上面部と下面部との間に形成される通気路を備え、その風出部分が離間部分の上方に位置することを特徴とする外設部材、及びそれを用いた太陽電池パネルの敷設構造を提案する。
なお、本発明の外設部材としては、通気路を備える起立部及び取付部を有する単一部材であってもよいし、複数部材からなるものでもよい。
【００１７】
起立部は、取付状態において前記太陽電池パネルの表面に突出するものであって、上面部と下面部との間に形成される通気路を備え、その風出部分が離間部分の上方に位置するものである。前述のようにこの外設部材は、単一部材であっても複数部材であってもよいので、上面部及び下面部が１つの部材に存在するものでも、上面部を有する部材と下面部を有する部材にて構成されるものでもよい。そして、この起立部を構成する上面部、下面部は、太陽電池表面に対して略鉛直状でも、内側、外側への傾斜状であってもよく、略平坦状の起立片状でも、弧状（曲面状）又は段状の起立片状でもよい。
また、上面部、下面部はそれぞれが必ずしも連続している必要はなく、部分的に離間していてもよい。上面部と下面部は略平行状であっても非平行状（テーパ状）であってもよい。即ち通気路は必ずしも連続状でも不連続状でもよく、略一定幅状でもテーパ状であってもよい。
【００１８】
取付部は、太陽電池パネル又はその固定部材に取り付ける部分を指し、その形状等について限定するものではない。また、この外設部材は、後述する図示実施例（第１実施例）のように太陽電池パネルと固定部材との両方に取り付けてもよく、即ち両部材に対する取付部を有していてもよい。例えば太陽電池パネルへの取付部は、前記側壁部と同様にその取付態様に応じた形状構成を具備させるようにしてもよい。即ち前述のようにビスによる直止めやボルトナットでの締め付けでも、雌雄等による係合、嵌合、或いはそれらの併用であってもよい。固定部材へ取り付ける場合にも同様であって、その取付態様に応じた形状構成を具備させるようにしてもよい。
【００１９】
そして、本発明の外設部材は、通気路を備える起立部を有するため、通気路を備えない起立部に比べ、裏面側の空気をより強く吸い出す作用を果たし、太陽電池パネルの裏面空間内の排熱がより円滑に行え、太陽電池セルの発電効率の低下をより大きく抑制することができる。また、この起立部は、従来の起立部と同様に雪止め作用をも果たす。特に前述のように隣接する太陽電池パネルは、離間状に配設されている場合には、雪を太陽電池パネル間へ、或いは該パネル間から裏面空間へ落とすこともできる。
【００２０】
このような構成を有する本発明の外設部材は、太陽電池パネル（の枠体）やそれを固定する固定部材などに取り付ける取付部を有するので、設置後又は設置前の太陽電池パネル（の枠体）や固定部材などに容易に取り付けして一体化することができる。
【００２１】
そして、本発明は、前記外設部材を下地上に取り付けた太陽電池パネル又はその固定部材に一体的に固定した太陽電池パネルの敷設構造をも提案する。
【００２２】
前述のように本発明の目的は、太陽電池モジュールの裏面側の空間から、効率的に熱量を排出して太陽電池の発電効率の低下を防ぐことであるが、この裏面側の空間とは、太陽電池パネルと下地間に形成されるものであればよく、波状或い立ち上げ部等を有する外装構造等の下地の形状によって高さ幅が部分的に大きく形成されるものであってもよいし、略平坦状の下地に対して直接的に太陽電池パネルを敷設して太陽電池モジュールと周縁の枠体で囲まれる略均等な薄い空間であってもよいし、持出金具や取付部材、横桟、縦桟等の支持部材などを取り付けた下地と太陽電池パネル間に形成されるものでもよい。また、このような裏面空間は、軒棟方向或いは桁行き方向、或いはその両方に連続するものであっても、独立したものであってもよい。
【実施例】
【００２３】
図１及び図２に示す第１実施例の太陽電池パネル１の構築構造は、下地として、流れ方向に沿うハゼ組み式の折板屋根３０のハゼ部３５，３５'に取り付けられた持出金具４に、太陽電池モジュール１０の周縁に枠体１１を設けた太陽電池パネル１を敷設したものであって、前記太陽電池パネル１の枠体１１及び押さえ材には、通気部を備える起立部を有する外設部材を取り付けた構造である。
【００２４】
この第１実施例における下地を構成する前記折板屋根３０は、山部と谷部とを構成する外装材３Ａと、図示しない躯体（Ｈ鋼）上に固定されて前記外装材３Ａを保持する保持部材（タイトフレーム、図示せず）とからなる。この外装材３Ａは、略平坦状の平板部３１の左右に傾斜状に立ち上がる立ち上がり部３２，３２を有し、各立ち上がり部３２の上端に外側へ延在する載置部３３が形成され、この載置部３３の外側を略鉛直状に起立させて起立部３４とし、隣接する外装材３Ａ，３Ａの当該部分を重合させてカシメてハゼ部としたものであり、外側に位置する重合部３５と内側に位置する被重合部３５'とした構成である。
【００２５】
この折板屋根３０には、図２（ｃ）に示す左右分割型の（持出金具の）本体４Ａと略ハット型の連結枠体４Ｂと上向きの縦ボルト４Ｃとを一体化してなる持出金具４が取り付けられ、さらにその上面には、図２（ｄ）に示す断面略低ハット状の受け金具５が取り付けられている。この受け金具５に支持させるように太陽電池パネル１が敷設され、その流れ方向の端縁の上面を図２（ｅ）に示す押さえ材６で押さえ保持している。
【００２６】
前記持出金具４を構成する本体４Ａは、図２（ｃ）に示すように上端に略平坦状の受けフランジ４１が設けられ、その下方に通孔を有する縦片部分を介して外方へ膨出状の包持部４２が設けられ、さらにその他方に着座部４３が設けられている。
そして、この本体４Ａと連結枠体４Ｂと縦ボルト４Ｃとは、係合状に組み合わされ、その着座部４３を折板屋根３０の載置部３３上に受支させると共に、その包持部４２がハゼ部３５，３５'を覆うように配置した状態で前記縦片部分に設けた通孔に連結具４４を締着することにより一体化され、折板屋根３０上に太陽電池パネル１を敷設するための基準面を構成する。
【００２７】
前記受け金具５は、図２（ｄ）に示すように前後の端縁が前記持出金具４の受けフランジ４１に沿わせる受支部５１，５１であり、その間に隆状に形成された固定受部５２が形成され、該固定受部５２の略中央には、前記持出金具４の縦ボルト４Ｃが挿通する孔５２１が形成されている。
この受け金具５は、後述する太陽電池パネル１の敷設を容易にするものであって、固定受部５２の前後左右に形成した折り曲げ部５３が、太陽電池パネル１，１の端縁を係止する位置規制作用を果たす。
【００２８】
前記太陽電池パネル１は、太陽電池セルをガラス等に積層させてモジュール化し、周縁に枠体（フレーム）１１を配して敷設したものである。この枠体１１は、上端に略コ字状の保持部分を有し、該保持部分から下方へ沿在する縦片状の側壁部を有し、下端には前記受け金具５の受支部５１上に沿わせる着地部分が形成され、この下端（着地部分）が前記受け金具５の受支部５１上に支持される状態で敷設されている。
【００２９】
前記押さえ材６は、図２（ｅ）に拡大して示すように略中央に略平坦状の平板部６２が形成され、該平板部６２の略中央には、前記持出金具４の縦ボルト４Ｃが挿通する孔６２１が形成されている。この平板部６２の前方中央には傾斜状の起立片である取付受部６３が形成され、後方には上方へ折曲されたフランジ状の押さえ部６１が形成されている。また、この平板部６２の左右の側縁を下方へ折曲し、下端が前記受け金具５の固定受部５２に着座する受片部６２２，６２２が形成されている。
【００３０】
この第１実施例の外設部材２は、図１（ｂ）に拡大して示すように上面部（＝上方起立部）２１Ａを有する上面材２Ａと下面部（＝下方起立部）２１Ｂを有する下面材２Ｂとからなる複数部材からなり、取付状態において、前記太陽電池パネル１より上方に延出する起立部２１が上面部２１Ａと、下面部２１Ｂとの間に形成される太点線で示す通気路２２を備え、太陽電池パネル１と押さえ材６に取り付けられる取付部２３Ａ，２３Ｂを有する構成である。
上面部２１Ａを有する上面材２Ａは、図２（ａ）に示すように長さ方向に一定形状の帯状材であって、上端付近が屈曲する傾斜面状の上面部２１Ａの裏面側に下方が開放する係合溝が取付部２３Ａとして形成されている。この上面材２Ａの取付部２３Ａは、前記押さえ材６の取付受部６３に係合状に取り付けられる。
下面部２１Ｂを有する下面材２Ｂは、図２（ｂ）に示すように平板状の金属板材を加工原料として極めて簡単な加工で作成することができるものであり、金属板材の下端から上方に向かって切り込みを複数箇所に形成し、この切り込みに挟まれる部分を略直角に折り曲げて横片部２４とし、折り曲げない部分を垂下状の縦片部を取付部２３Ｂとした。また、切り込み端の上方を傾斜状に折曲すると共にその上端近傍を略水平状に折り曲げて下面部２１Ｂとした。この下面材２Ｂの取付部２３Ｂは、太陽電池パネル１の枠体１１の側壁部に沿わせてビス止め（ビス２ｃ）される。
【００３１】
これらの各部材からなる外装構造（太陽電池パネルの敷設構造）の施工手順を以下に説明する。
まず、ハゼ組み式の折板屋根３０上に、前記構成の持出金具４を一体状に取り付ける。この持出金具４の取付は、予め本体４Ａと連結枠体４Ｂと縦ボルト４Ｃとを一体状に組んだ状態で、前記折板屋根３０に形成されたハゼ部３５，３５'の左右から本体４Ａを組み付けることで半ば自動的に一体化され、縦ボルト４Ｃが持出金具４に立設されるものとなる。
次に、折板屋根３０に取り付けた持出金具４の縦ボルト４Ｃに、前記構成の受け金具５を挿通させて配置する。
続いて、配置させた受け金具５の受支部５１，５１に、前記太陽電池パネル１，１の棟端（下面）、軒端（下面）を支持させて敷設する。
なお、前述のように受け金具５は、固定受部５２の前後左右に折り曲げ部５３を設けたので、この折り曲げ部（位置規制部）５３に太陽電池パネル６１端縁を押し当てるように敷設することにより、位置規制が果たされる。
その後、前記構成の押さえ材６を、平板部６２に設けた孔６２１に、前記持出金具４の縦ボルト４Ｃを挿通させ、ナット４Ｄで固定する。その際、押さえ部６１を敷設した太陽電池パネル１の端縁（上面）に沿在するように保持させて固定する。
そして、前記外設部材２（上面材２Ａ及び下面材２Ｂ）の取付部２３Ａ，２３Ｂを取り付けた押さえ材６及び敷設した太陽電池パネル１にそれぞれ固定する。詳しくは、上面材の取付部２３Ａは、係合溝状であるから、押さえ材６に設けた起立片状の取付受部６３に係合状に容易に取り付けることができる。また、下面材２Ｂの取付部２３Ｂは、垂下状の縦片部であるから、敷設した太陽電池パネル１の棟側の枠体１１の側壁部に沿わせると共にビス２ｃを側方から打ち込むことにより容易に取り付けることができる。その際、横片部２４を太陽電池パネルの１の枠体１１の上面に沿わせて押さえ保持する。
【００３２】
なお、この外装構造は、前述のように太陽電池パネル１、押さえ材６の敷設、取付後に外設部材２（２Ａ，２Ｂ）を取り付けたが、太陽電池パネル１や押さえ材６の配設以前に、ほぼ同様の手順で外設部材２（２Ａ，２Ｂ）を一体化させた状態で敷設、取付るようにしてもよい。
【００３３】
このように本発明の外設部材２（上面材２Ａ，下面材２Ｂ）は、通気路２２を備える起立部（上面部２１Ａ，下面部２２Ｂ）を太陽電池パネル１，１の隣接間隔に容易に取り付けることができ、起立部（上面部２１Ａ，下面部２２Ｂ）に当たった風が上方に乱流を起こし、起立部（上面部２１Ａ，下面部２２Ｂ）の上端を減圧状態とするため、太陽電池パネル１の裏面空間１６の空気が前記開口部１１０から表面側へ吸い出す作用が果たされ、裏面空間１６の空気の流れを著しく速め、太陽電池セル１０自体が発生する温度を抑えることで発電効率の低下を防ぐことができる。なお、裏面空間１６は、太陽電池モジュール１０の裏面側に位置する空間全てを指すものであって、モジュール１０自体の裏面側ばかりでなく、枠体１１の裏面をも含む。
また、前述のように外設部材２は、太陽電池パネル１の設置後でも設置前でも容易に排泄できるので、新設屋根にも既設屋根にも容易に適用できる。
【００３４】
図３及び図４に示す第２実施例は、上面部２１Ｄを有する上面材２Ｄ及び下面部２１Ｄを有する下面材２Ｅが同一材料（便宜上、別符号にて説明する。）にて形成された構成であって、この第２実施例における外設部材２"は、前記２枚の材料（２Ｄ，２Ｅ）と両者を連結すると共に通気路２２"を形成する断面略Ｚ字状の連結材２Ｆとからなる構成である。
前記上面材２Ｄ及び下面材２Ｅは、前記第１実施例における上面材２Ａと同様に長さ方向に一定形状の帯状材であって、上端付近が屈曲する傾斜面状の上面部２１Ｄ，下面部２１Ｅの裏面側に下方が開放する係合溝が取付部２３Ｄ，２３Ｅとして形成されている。上面材２Ａでは、上面部２１Ａの下端付近が鉛直状に形成されていたのに対し、これら上面材２Ｄ及び下面材２Ｅでは、波状の湾曲面を形成している点が相違する。
前記連結材２Ｆは、それぞれ上面材２Ｄ、下面材２Ｅと接合させる接面部２４，２５とその間の連結部２６とからなり、図４（ｃ）に太点線で示す通気路２２"がこの連結部２６を横切っていることからも明らかなように、この連結部２６が上面部２１Ｄと下面部２１Ｅとの間に間隔を保持して通気路２２"を形成するものである。
【００３５】
この第２実施例の外装構造（太陽電池パネルの敷設構造）の施工手順を図３（ａ）〜（ｅ）に基づいて以下に説明する。
まず、図３（ａ）に示すようにハゼ組み式の折板屋根３０上に、持出金具４を一体状に取り付ける。この折板屋根３０、及び持出金具４については、前記第１実施例と全く同様であるから、図面に同一符号を付して説明を省略する。
次に、図３（ｂ）に示すように折板屋根３０に取り付けた持出金具４の縦ボルト４Ｃに、受け金具５を挿通させて配置する。この受け金具５についても、前記第１実施例と全く同様であるから、図面に同一符号を付して説明を省略する。
続いて、図３（ｃ）に示すように配置させた受け金具５の受支部５１，５１に、前記太陽電池パネル１，１の棟端（下面）、軒端（下面）を支持させて敷設する。
前述のように受け金具５は、固定受部５２の前後左右に折り曲げ部５３を設けたので、この折り曲げ部（位置規制部）５３に太陽電池パネル６１端縁を押し当てるように敷設することにより、位置規制が果たされる点でも前記第１実施例と全く同様である。
【００３６】
その後、図３（ｄ）に示すように押さえ材６"を、平板部６２に設けた孔６２１に、前記持出金具４の縦ボルト４Ｃを挿通させ、ナット４Ｄで固定する。その際、押さえ部６１，６１を敷設した太陽電池パネル１，１の端縁（上面）に沿在するように保持させて固定する。
この第２実施例の押さえ材６"は、前記第１実施例における押さえ材６とは異なり、後方ばかりでなく前方にも押さえ部６１が形成され、前方中央ではなく前方の左右端に傾斜状の起立片である取付受部６３"が設けられている。しかも前記第１実施例における取付受部６３は、上面材２Ａの取付部２３Ａを取り付ける部分であったが、この第２実施例の取付受部６３"は、下面材２Ｅの取付部２３Ｅが取り付けられる点でも相違する。
【００３７】
そして、前記外設部材２"を予め一体的に固定した状態で取り付けるようにしてもよいが、図３（ｅ）に示すように、下から順に取り付けるようにしてもよい。
ここでは、取り付けた前記押さえ材６"の取付受部６３"に、まず下面材２Ｅの取付部２３Ｅを係合させて取り付けた後、連結材２Ｆの接面部２４を上面材２Ｄの取付部２３Ｄに係合させた状態で下面材２Ｅの下面部２１Ｅに連結材２Ｆの接面部２５を沿わせ、図示するようにビス止め（ビス２ｇ）して一体的に固定する。なお、図４（ｂ），（ｃ）に示すように上面材２Ｄと連結材２Ｅとの取り付けにもビス止め（ビス２ｇ）するようにしてもよい。
【符号の説明】
【００３８】
１  太陽電池パネル
１０  太陽電池モジュール
１１  枠体
２，２"  外設部材
２Ａ，２Ｄ  上面材
２Ｂ，２Ｅ  下面材
２１Ａ  上面部
２１Ｂ  下面部
２２，２２"  通気路
２３Ａ，２３Ｂ，２３Ｄ，２３Ｅ  取付部
３０  折板屋根
３Ａ  外装材
４  持出金具
４Ｃ  縦ボルト
５  受け金具
６，６"  押さえ金具
６１  押さえ部
６３  取付受部
【図１】
2014181453.tif 000003
【図２】
2014181453.tif 000004
【図３】
2014181453.tif 000005
【図４】
2014181453.tif 000006